(57)【要約】【課題】サドルと分水栓とのねじ嵌合部を電気的に絶縁して、異種金属である両者の間に電食が生じるのを防止したサドル付分水栓の電食防止装置を提供する提供する。【解決手段】ダクタイル鋳鉄製のサドル２と砲金製の分水栓本体３とのねじ嵌合部に絶縁性部材１１を介装して、サドル２と分水栓本体３との間の電気的導通を遮断したことを特徴とする。絶縁性部材１１は、非円形の輪郭形状を有する金属製雌ねじ体１２の外側面を絶縁体１３で被覆した構造を有し、サドル２の嵌合孔７の内側周壁部に形成した受容凹部８に絶縁性部材１１を非回転状態に嵌合して保持させ、金属製雌ねじ体１２に分水栓本体３の接続管部９の雄ねじ１０をねじ込んで結合する。【選択図】　　　　図１
2004144214.tif 000002
【特許請求の範囲】
【請求項１】
ダクタイル鋳鉄製のサドルと砲金製の分水栓本体とのねじ嵌合部に絶縁性部材を介装して、前記サドルと前記分水栓本体との間の電気的導通を遮断したことを特徴とするサドル付分水栓の電食防止装置。
【請求項２】
前記絶縁性部材が、非円形の輪郭形状を有する金属製雌ねじ体の外側面を絶縁体で被覆した構造を有し、前記サドルの嵌合孔の内側周壁部に形成した受容凹部に前記絶縁性部材を非回転状態に嵌合して保持させ、前記金属製雌ねじ体に前記分水栓本体の接続管部の雄ねじをねじ込んで結合した請求項１記載のサドル付分水栓の電食防止装置。
【請求項３】
前記絶縁性部材が、非円形の輪郭形状を有する硬質の絶縁性樹脂製又は合成ゴム製雌ねじ体であって、前記サドルの嵌合孔の内側周壁部に形成した受容凹部に前記絶縁性部材を非回転状態に係合して保持させ、前記絶縁性樹脂製又は合成ゴム製雌ねじ体に前記分水栓本体の接続管部の雄ねじをねじ込んで結合した請求項１記載のサドル付分水栓の電食防止装置。
【請求項４】
前記絶縁性部材が、前記サドルの嵌合孔の内側周壁部に形成した受容凹部と前記嵌合孔に予め嵌装して、その内側面を覆う絶縁体と円筒状被覆部とで構成され、前記嵌合孔に挿通した前記分水栓本体の接続管部の雄ねじに締付ナットをねじ込んで前記分水栓本体を前記サドルに固定すると共に、前記絶縁体により前記締付ナットを囲繞して絶縁することを特徴とする請求項１記載のサドル付分水栓の電食防止装置。
【発明の詳細な説明】
【０００１】
【発明の属する技術分野】
本発明は、土中に埋設する水道用又はガス用配管に取り付けて使用するねじ式サドル付分水栓の電食防止装置に関する。
【０００２】
【従来の技術】
規格製品のねじ式サドル付分水栓は一般的に、サドルがダクタイル鋳鉄製で、分水栓本体が砲金製であり、両者をねじ嵌合により結合している。このため異種金属であるサドルと分水栓本体との間に水、土壌等の電解質を介して電池回路が形成され、電位の低いダクタイル鋳鉄製のサドルから金属イオンが溶出して、腐食（電食）を生じさせていることが長い間見逃されていた。
【０００３】
【発明が解決しようとする課題】
本発明は上記問題点に鑑みてなされたものであり、サドルと分水栓本体とのねじ嵌合部の電気的導通を遮断して、異種金属である両者の間に水、土壌等の電解質を介して電池回路が形成されるのを阻止することにより電食を防止するようにしたサドル付分水栓の電食防止装置を提供することを目的とする。
【０００４】
【課題を解決するための手段】
上記目的を達成するために、本発明の電食防止装置は、ダクタイル鋳鉄製のサドルと砲金製の分水栓本体とのねじ嵌合部に絶縁性部材を介装して、前記サドルと前記分水栓本体との間の電気的導通を遮断したことを特徴とする。
【０００５】
前記絶縁性部材の具体的な構成としては、非円形の輪郭形状を有する金属製雌ねじ体の外側面を絶縁体で被覆した構造を有し、前記サドルの嵌合孔の内側周壁部に形成した受容凹部に前記絶縁性部材を非回転状態に嵌合して保持させ、前記金属製雌ねじ体に前記分水栓本体の接続管部の雄ねじをねじ込んで結合した構成が好ましい。この場合、前記絶縁体に前記嵌合孔の円周壁面に沿って外側にまで突出する円筒状被覆部を一体に成形することが望ましい。また、前記雌ねじ体を硬質の絶縁性樹脂材料又は合成ゴムにより構成して、前記絶縁体の被覆を省略する構造としてもよい。この場合も、前記円筒状被覆部を突設することが望ましい。さらに、前記絶縁性部材が、前記サドルの嵌合孔の内側周壁部に形成した受容凹部と前記嵌合孔に予め嵌装して、その内側面を覆う絶縁体と円筒状被覆部とで構成され、前記嵌合孔に挿通した前記分水栓本体の接続管部の雄ねじに締付ナットをねじ込んで前記分水栓本体を前記サドルに固定すると共に、前記絶縁体により前記締付ナットを囲繞して絶縁することも可能である。
【０００６】
【発明の実施の形態】
以下、本発明の好適な実施の形態を図面に基づいて説明する。図１は、本発明による電食防止装置を備えたサドル付分水栓の要部縦断正面図であり、図２は同サドルの底面図である。
【０００７】
サドル付分水栓１は、従来の規格品と同様にダクタイル鋳鉄製のサドル２と砲金製の分水栓本体３とで構成されている。サドル２は、図示しない配管の外周面に添う円弧状に湾曲したバンド状本体４の両端に取付用フランジ部５，５が連設され、本体４の中央部分に分水栓本体３を取り付けるための筒状部６が突設されている。筒状部６は、頂部に分水栓本体３の接続管部９（外周面に雄ねじ１０が設けられている）が挿通する嵌合孔７を有し、該嵌合孔７の内側周壁部に輪郭形状が嵌合孔７より大きい非円形の受容凹部８が形成されている。該受容凹部８は、後述する絶縁性部材１１とパッキン１７を嵌合して非回転状態に保持するため、図２に良く示されているように、楕円形の両端を切除した非円形の輪郭形状に形成されている。
【０００８】
図３、図４は、本発明による絶縁性部材１１を構成する金属製雌ねじ体１２とその外側面を被覆する絶縁体１３とからなる構造体を示している。雌ねじ体１２は砲金製の分水栓本体３との間に電位差を生じないようにするため砲金製とすることが好ましいけれども、その他の金属材料を使用することも可能である。該雌ねじ体１２は、分水栓本体３の接続管部９の雄ねじ部１０にねじ嵌合する雌ねじ１４を有し、受容凹部８に密に嵌合するように外周面１５が受容凹部８に合致する非円形の輪郭形状を有する特殊形状のナットとして形成されている。絶縁体１３は絶縁性樹脂又は合成ゴムにより成形され、雌ねじ体１２の外側面全体を被覆すると共に、雌ねじ体１２を受容凹部８に収容したとき、嵌合孔７の内側壁面に沿って外側にまで突出する長さを有する円筒状被覆部１６が一体に形成されている。
【０００９】
上記のような構成を有する絶縁性部材１１は、図１に示すようにサドル２の裏側から受容凹部８に嵌装して非回転状態に保持させ、その外側に同じく非円形の輪郭形状を有するパッキン１７を受容凹部８に嵌装して使用する。一方、分水栓本体３は、その接続管部９をサドル２の嵌合孔７に挿通し、雄ねじ１０を雌ねじ体１２の雌ねじ１４にねじ込んでサドル２に固定される。このねじ嵌合による固定状態においては、サドル２と分水栓本体３とは絶縁性部材１１を構成する絶縁体１３及び円筒状被覆部１６によって電気的導通が遮断されているので、サドル２と分水栓本体３とが異種金属であっても、従来のようにサドル２と分水栓本体３との間に水、土壌等の電解質を介して電池回路は形成されず、したがってサドル２の電食が有効に防止される。
【００１０】
絶縁性部材１１は、図５に示すように、雌ねじ体１２′と円筒状被覆部１６′をポリアセタール、ポリカーボネイトなどの硬質の絶縁性樹脂あるいは硬質の合成ゴムにより一体成形して構成することも可能である。
【００１１】
図６、図７は、本発明による絶縁性部材１１のさらに別の実施形態を示している。この実施の形態では、一体成形した絶縁体１３と円筒状被覆部１６が予め円形状の受容凹部８と嵌合孔７に嵌装されていて、その内側面を被覆絶縁している。そして、嵌合孔７に挿通した接続管部９の雄ねじ１０に六角ナット１８その他の締付ナットをねじ込んで分水栓本体３をサドル２に固定すると共に、絶縁体１３により六角ナット１８の外側面を囲繞して絶縁することにより、サドル２と分水栓本体３との電気的導通を遮断している。
【００１２】
【発明の効果】
以上説明したように、本発明によれば、サドルと分水栓本体のねじ嵌合部に絶縁性部材を介装するだけの簡単な構造によって、異種金属からなるサドルと分水栓本体との間に水、土壌等の電解質を介して電池回路が形成されるのを阻止し、電食を確実に防止することができる。しかも、本発明の電食防止装置をサドルに組み付けてもサドル付分水栓としての機能を阻害することがない。
【図面の簡単な説明】
【図１】本発明による電食防止装置を備えたサドル付分水栓の要部縦断正面図である。
【図２】同上サドルの底面図である。
【図３】同上絶縁性部材を構成する雌ねじ体と絶縁体からなる構造体の平面図である。
【図４】同上絶縁性部材の要部縦断正面図である。
【図５】同上絶縁性部材の別の実施形態を示す縦断正面図である。
【図６】本発明による別の実施形態を示すサドル付分水栓のパッキンを省略した縦断正面図である。
【図７】同上サドルの底面図である。
【符号の説明】
１　サドル付分水栓
２　サドル
３　分水栓
４　サドル本体
５　フランジ部
６　筒状部
７　嵌合孔
８　受容凹部
９　接続管部
１０　雄ねじ部
１１　絶縁性部材
１２、１２′　雌ねじ体
１３　絶縁体
１５　外周面
１６、１６′　円筒状被覆部
１７　パッキン
１８　六角ナット
【図１】
2004144214.tif 000003
【図２】
2004144214.tif 000004
【図３】
2004144214.tif 000005
【図４】
2004144214.tif 000006
【図５】
2004144214.tif 000007
【図６】
2004144214.tif 000008
【図７】
2004144214.tif 000009